(57)【要約】【課題】スマート型微電流美容器具を提供する。【解決手段】ＡＰＰ駆動部分１０と回路コントロール部分２０を有し、ＡＰＰ駆動部分１０は設備識別モジュール１１、起動応用モジュール１２、コントロールモジュール１３、強度調節モジュール、マイクロパルス発生モジュール１７を有する。強度調節モジュールは異なる周波数帯域に分布する周波数を駆動する多数の異なる周波数駆動モジュール１４、１５、１６を有する。回路コントロール部分２０は組合せ昇圧モジュール２１、マイクロパルス変換モジュール２２、マイクロパルスエネルギー収集モジュール２３、タッチコントロールモジュール２４、微電流アウトプットモジュール２５を有する。スマート型微電流美容器具３０は電池による給電が不要で、従来技術のハンドコントローラーを省くことができ、電子製品の各機能パーツを充分に利用することで、ＡＰＰ駆動部分１０及び回路コントロール部分２０を結合する。【選択図】図４
2016134778.tif 000002
【特許請求の範囲】
【請求項１】
微電流美容器具本体、及び電子製品のオーディオインターフェースに対応するオーディオプラグを有する、スマート型微電流美容器具であって、
前記微電流美容器具本体は、少なくとも微電流美容電極及びコントロールパネルを有し、前記コントロールパネルの回路は、組合せ昇圧モジュール、マイクロパルス変換モジュール、マイクロパルスエネルギー収集モジュール、タッチコントロールモジュール及び微電流アウトプットモジュールを有し、
前記組合せ昇圧モジュール、前記マイクロパルスエネルギー収集モジュール及び前記微電流アウトプットモジュールは、順番に連接し、前記タッチコントロールモジュールは、前記微電流アウトプットモジュールに連接し、前記オーディオプラグは、前記組合せ昇圧モジュール及び前記タッチコントロールモジュールにそれぞれ電気的に連接し、
前記微電流美容電極は、前記微電流アウトプットモジュールに連接することを特徴とするスマート型微電流美容器具。
【請求項２】
ＡＰＰ駆動部分及び回路コントロール部分を有する、スマート型微電流美容器具のＡＰＰに基づくコントロールシステムであって、
前記ＡＰＰ駆動部分は、設備識別モジュール、起動応用モジュール、コントロールモジュール、強度調節モジュール及びマイクロパルス発生モジュールを有し、
前記強度調節モジュールは、異なる周波数帯域に分布する周波数を駆動する多数の異なる周波数駆動モジュールを有し、
前記設備識別モジュール、前記起動応用モジュール、前記コントロールモジュール及び前記マイクロパルス発生モジュールは、順番に連接し、及び前記コントロールモジュールは、前記強度調節モジュールの多数の異なる周波数駆動モジュールにそれぞれ連接し、
前記回路コントロール部分は、組合せ昇圧モジュール、マイクロパルス変換モジュール、マイクロパルスエネルギー収集モジュール、タッチコントロールモジュール及び微電流アウトプットモジュールを有し、
前記組合せ昇圧モジュール、前記マイクロパルスエネルギー収集モジュール及び前記微電流アウトプットモジュールは、順番に連接し、前記タッチコントロールモジュールは、前記微電流アウトプットモジュールに連接し、
前記ＡＰＰ駆動部分の多数の異なる周波数駆動モジュールは、前記回路コントロール部分の組合せ昇圧モジュールにそれぞれ連接し、
前記ＡＰＰ駆動部分のマイクロパルス発生モジュールは、前記回路コントロール部分のタッチコントロールモジュールに連接することを特徴とするスマート型微電流美容器具のＡＰＰに基づくコントロールシステム。
【請求項３】
スマート型微電流美容器具のＡＰＰコントロールシステムに基づくコントロール方法は、以下のステップを有し、
（１）ユーザーはＡＰＰ駆動ソフトウェアを電子製品中にダウンロードし、
（２）回路コントロール部分を含むスマート型微電流美容器具を、オーディオインターフェースを通して、電子製品と接続し、
（３）前記ＡＰＰ駆動ソフトウェアを起動し、その設備識別モジュールがスマート型微電流美容器具の挿入を検出後、起動応用モジュールを起動し、コントロールモジュールを操作することで、強度調節モジュールの低周波、中周波数或いは高周波を選択し、駆動モジュールを起動し、電子製品オーディオインターフェースのＲ、Ｌチャンネルの何れかのチャンネルを通して、対応する正弦波をアウトプットし、前記正弦波は組合せ昇圧モジュールに発送され、前記組合せ昇圧モジュールを通して正弦波の振幅を上げ、振幅を上げた後の正弦波は、マイクロパルス転換モジュールへと伝送され、前記マイクロパルス転換モジュールを経て前記正弦波を直流信号に転換し、マイクロパルスエネルギー収集モジュールに貯蔵し、
同時に、前記起動応用モジュールを起動すると、電子製品オーディオインターフェースのＲ、Ｌチャンネルのもう一つのチャンネルを通して、マイクロパルス発生モジュールを起動し、前記マイクロパルス発生モジュールは、タッチコントロールモジュールの作動を駆動し、微電流アウトプットモジュールの作動を駆動し、微電流エネルギー収集モジュール上の直流信号エネルギーを再度正弦波に転換し、微電流美容電極を通して放出し、微電流を発生することを特徴とするスマート型微電流美容器具のＡＰＰコントロールシステムに基づくコントロール方法。
【発明の詳細な説明】
【技術分野】
【０００１】
本発明はスマート型微電流美容器具に関し、特にスマート型微電流美容器具及びＡＰＰに基づくそのコントロールシステム、コントロール方法に関する。
【背景技術】
【０００２】
人々の生活水準が高くなるに従い、お顔の手入れ、美容への要求も高まっており、美容液、エッセンシャルオイル、各種美容マスク等もどんどん増えている。
【０００３】
しかし、これら美容液、エッセンシャルオイル、各種美容マスク等はわずか１５〜２０分間で、真に吸収されるのは一部分に過ぎない。これらスキンケア化粧品中のエッセンスを充分に吸収させるため、微電流美容器具が開発された。これにより、スキンケア化粧品の導入を加速し、皮膚の状態をより良くし、スキンケア化粧品中のエッセンスをより多く吸収できるようにしている。
【０００４】
前記した従来の微電流美容器具は製造技術が複雑であるため、コストが高く、また電池により給電する必要があるため、環境保護と省エネの理念に合致していない。同時に、従来の微電流美容器具は、ハンドコントローラー及びその上面にある若干の操作ボタンを通してコントロールする必要があるため、製品の体積が大きく、消費者にとっては使用における利便性が充分ではない。
【先行技術文献】
【特許文献】
【０００５】
【特許文献１】なし
【発明の概要】
【発明が解決しようとする課題】
【０００６】
本発明の主な目的は、環境にやさしい省エネ構造で、コストが低廉で、製造が簡単で、体積が小さく、携帯に便利で、スマート型の利便性を備えるスマート型微電流美容器具及びＡＰＰに基づくそのコントロールシステム、コントロール方法を提供することにある。
【課題を解決するための手段】
【０００７】
本発明によるスマート型微電流美容器具は、微電流美容器具本体、及び電子製品のオーディオインターフェースに対応するオーディオプラグを有する。
該微電流美容器具本体は、少なくとも微電流美容電極及びコントロールパネルを有する。
該コントロールパネルの回路は、組合せ昇圧モジュール、マイクロパルス変換モジュール、マイクロパルスエネルギー収集モジュール、タッチコントロールモジュール及び微電流アウトプットモジュールを有する。
該組合せ昇圧モジュール、該マイクロパルスエネルギー収集モジュール及び該微電流アウトプットモジュールは、順番に連接し、該タッチコントロールモジュールは、該微電流アウトプットモジュールに連接し、該オーディオプラグは、該組合せ昇圧モジュール及び該タッチコントロールモジュールにそれぞれ電気的に連接する。
該微電流美容電極は、前記微電流アウトプットモジュールに連接する。
【０００８】
本発明によるスマート型微電流美容器具ＡＰＰに基づくコントロールシステムは、ＡＰＰ駆動部分及び回路コントロール部分を有する。
該ＡＰＰ駆動部分は、設備識別モジュール、起動応用モジュール、コントロールモジュール、強度調節モジュール及びマイクロパルス発生モジュールを有する。
該強度調節モジュールは、異なる周波数帯域に分布する周波数を駆動する多数の異なる周波数駆動モジュールを有する。
該設備識別モジュール、該起動応用モジュール、該コントロールモジュール及び該マイクロパルス発生モジュールは、順番に連接し、及び該コントロールモジュールは、該強度調節モジュールの多数の異なる周波数駆動モジュールにそれぞれ連接する。
該回路コントロール部分は、組合せ昇圧モジュール、マイクロパルス変換モジュール、マイクロパルスエネルギー収集モジュール、タッチコントロールモジュール及び微電流アウトプットモジュールを有する。
該組合せ昇圧モジュール、該マイクロパルスエネルギー収集モジュール及び該微電流アウトプットモジュールは、順番に連接し、該タッチコントロールモジュールは、該微電流アウトプットモジュールに連接する。
該ＡＰＰ駆動部分の多数の異なる周波数駆動モジュールは、該回路コントロール部分の組合せ昇圧モジュールにそれぞれ連接する。
該ＡＰＰ駆動部分のマイクロパルス発生モジュールは、該回路コントロール部分のタッチコントロールモジュールに連接する。
【０００９】
本発明によるスマート型微電流美容器具のＡＰＰコントロールシステムに基づくコントロール方法は、以下のステップを有する。
（１）ユーザーはＡＰＰ駆動ソフトウェアを電子製品中にダウンロードする。
（２）回路コントロール部分を含むスマート型微電流美容器具を、オーディオインターフェースを通して、電子製品と接続する。
（３）ＡＰＰ駆動ソフトウェアを起動し、その設備識別モジュールがスマート型微電流美容器具の挿入を検出後、応用モジュールを起動し、コントロールモジュールを操作することで、強度調節モジュールの低周波、中周波数或いは高周波を選択し、駆動モジュールを起動する。電子製品オーディオインターフェースのＲ、Ｌチャンネルの何れかのチャンネルを通して、対応する正弦波をアウトプットする。正弦波は組合せ昇圧モジュールに発送され、該組合せ昇圧モジュールを通して正弦波の振幅を上げ、振幅を上げた後の正弦波は、該マイクロパルス転換モジュールへと伝送され、該マイクロパルス転換モジュールを経て正弦波を直流信号に転換し、該マイクロパルスエネルギー収集モジュールに貯蔵する。同時に、該起動応用モジュールを起動すると、電子製品オーディオインターフェースのＲ、Ｌチャンネルのもう一つのチャンネルを通して、マイクロパルス発生モジュールを起動する。マイクロパルス発生モジュールは、タッチコントロールモジュールの作動を駆動し、微電流アウトプットモジュールの作動を駆動し、微電流エネルギー収集モジュール上の直流信号エネルギーを再度正弦波に転換し、微電流美容電極を通して放出し、微電流を発生する。
【発明の効果】
【００１０】
本発明と従来の技術とを比較する、以下のとおり明らかな長所と効果が存在する。
本発明は、従来の微電流美容器具に改良を加えることで、電子製品（携帯電話端末など）の各機能パーツを充分に利用し、ＡＰＰ駆動部分及び回路コントロール部分を結合し、携帯電話端末オーディオインターフェースを通してコントロールを伝送し微電流を発生させ、こうして従来の微電流美容器具が必要としていた電池を省き、省エネと環境保護を実現することができる。
同時に、そのすべてのコントロール操作ボタンは、携帯電話端末上に集められるため、従来の微電流美容器具のハンドコントローラーを省くことができ、こうして構造を簡單に、製造を容易にし、製造コストを引き下げ、製品をよりコンパクトにし、携帯に便利で、操作と使用においてもスマートな利便性を備えるようにし、人々が日常的に携帯して使用する携帯電話端末等の電子製品の使用と組み合わせることで、その実用性を増強し、幅広い使用の普及を図ることができる。
【図面の簡単な説明】
【００１１】
【図１】本発明の一実施形態によるスマート型微電流美容器具の立体構造模式図である。
【図２】図１に示す製品の分解構造模式図である。
【図３】本発明の一実施形態によるスマート型微電流美容器具の応用状態模式図である。
【図４】本発明の一実施形態によるコントロールシステムのブロックチャートである。
【発明を実施するための形態】
【００１２】
図１〜図４に示すとおり、本発明一実施形態の具体構造であるスマート型微電流美容器具１００に応用するＡＰＰに基づくコントロールシステムは、図３に示すとおり、ＡＰＰ駆動部分１０及び回路コントロール部分２０を有する。
【００１３】
ＡＰＰ駆動部分１０は、設備識別モジュール１１、起動応用モジュール１２、コントロールモジュール１３、強度調節モジュール及びマイクロパルス発生モジュール１７を有する。強度調節モジュールは、異なる周波数帯域に分布する周波数を駆動する多数の異なる周波数駆動モジュールを有する。
【００１４】
ここで、強度調節モジュールは、第一周波数駆動モジュール１４、第二周波数駆動モジュール１５及び第三周波数駆動モジュール１６を有する。第一周波数駆動モジュール１４は、低周波０-８ＫＨｚの周波数駆動モジュールで、第二周波数駆動モジュール１５は、中周波数９-１６ＫＨｚの周波数駆動モジュールで、第三周波数駆動モジュール１６為高周波１７-２０ＫＨｚの周波数駆動モジュールである。
【００１５】
設備識別モジュール１１、起動応用モジュール１２、コントロールモジュール１３及びマイクロパルス発生モジュール１７は、順番に連接し、コントロールモジュール１３は、強度調節モジュールの多数の異なる周波数駆動モジュールにそれぞれ連接する。
【００１６】
回路コントロール部分２０は、組合せ昇圧モジュール２１、マイクロパルス変換モジュール２２、マイクロパルスエネルギー収集モジュール２３、タッチコントロールモジュール２４及び微電流アウトプットモジュール２５を有する。組合せ昇圧モジュール２１、マイクロパルスエネルギー収集モジュール２２及び微電流アウトプットモジュール２５は、順番に連接し、タッチコントロールモジュール２４は、微電流アウトプットモジュール２５に連接する。
【００１７】
ＡＰＰ駆動部分１０の多数の異なる周波数駆動モジュールは、回路コントロール部分２０の組合せ昇圧モジュール２１にそれぞれ連接する。ＡＰＰ駆動部分１０のマイクロパルス発生モジュール１７は、回路コントロール部分２０のタッチコントロールモジュール２４に連接する。
【００１８】
設備識別モジュール１１が、回路コントロール部分２０がＡＰＰ駆動部分１０に連接したことを検出すると、起動応用モジュールを起動し、コントロールモジュール１３を操作することで、強度調節モジュールの低周波、中周波数或いは高周波を選択し、駆動モジュールを起動する。電子製品オーディオインターフェースのＲ、Ｌチャンネル（即ち右、左チャンネル）の何れかのチャンネルを通して、対応する正弦波をアウトプットする。正弦波は、組合せ昇圧モジュール２１に送られ、１：２０組合せ昇圧モジュールを通して、正弦波の振幅を２０倍まで上げる。振幅を上げた後の正弦波は、マイクロパルス転換モジュール２２へと伝送され、マイクロパルス転換モジュール２２を経て正弦波を直流信号に転換し、マイクロパルスエネルギー収集モジュール２３に貯蔵する。
【００１９】
同時に、起動応用モジュール１２を起動すると、電子製品オーディオインターフェースのＲ、Ｌチャンネルのもう一つのチャンネルを通して、マイクロパルス発生モジュール１７を起動する。マイクロパルス発生モジュール１７は、タッチコントロールモジュール２４の作動を駆動し、微電流アウトプットモジュール２５の作動を駆動し、微電流エネルギー収集モジュール２３上の直流信号エネルギーを再度正弦波に転換し、微電流美容電極３０１を通して放出し、微電流を発生する。
【００２０】
図１及び図２に示すとおり、本実施形態中では、この種のスマート型微電流美容器具１００は、微電流美容器具本体３０及び電子製品（例えば、タブレット型コンピューター、携帯電話端末或いはその他モバイル電子設備）に用いるオーディオインターフェースに対応するオーディオプラグ３０２を有する。微電流美容器具本体３０は、少なくとも微電流美容電極３０１及びコントロールパネルを有する。コントロールパネルの回路は、回路コントロール部分２０を有し、オーディオプラグ３０２は、組合せ昇圧モジュール２１及びタッチコントロールモジュール２４にそれぞれ電気的に連接する。微電流美容電極３０１は、微電流アウトプットモジュール２５に連接する。
【００２１】
具体的には、図２に示すとおり、スマート型微電流美容器具１００は、オーディオプラグ３０２、オーディオ前蓋３１、オーディオ後蓋３２、オーディオ套３３、ＰＣＢボード３４、変圧器圧盤３５、ＬＯＧＯ ３６、コードキット３７、上蓋装飾部材３８、上蓋３９、ぜんまい４０、ぜんまい盤４１、下蓋４２、下蓋装飾部材４３、コードキット一３７、コードキット二４４、微電流美容電極３０１及び微電流美容電極３０１上に塗布する導電ゲル４５を有する。
【００２２】
上記に記載した構成部材は、回路コントロール部分２０を有するスマート型微電流美容器具の一実施形態に過ぎず、スマート型微電流美容器具のその他構造を制限するものではない。
【００２３】
スマート型微電流美容器具１００を使用する前に、ユーザーは、ＡＰＰ駆動ソフトウェアを、携帯電話端末２００内にダウンロードする。スマート型微電流美容器具１００を使用する時には、そのオーディオプラグ３０２を携帯電話端末２００のオーディオインターフェース内に挿入し、ＡＰＰ駆動ソフトウェアを起動し、必要に応じて異なる強度の微電流を選択し顔面にアウトプットする。これにより、スキンケア化粧品の導入を加速し、各種美容液、エッセンスの吸收を加速することができる。
【００２４】
ＡＰＰ駆動ソフトウェア上には、各種スマート型操作ファンクションボタンとデータ保存、リマインダー、チェック、シェア等インターネット機能をさらに有し、操作者の皮膚のお手入れの各項データと指標を記録することができる。これにより、操作者はお手入れの状況をいつでもチェックし理解することができ、こうしてスマート型微電流美容器具１００の使用はよりスマートとなり、人にやさしくなる。
【００２５】
本発明は、従来の微電流美容器具に改良を加えることで、電子製品（携帯電話端末など）の各機能パーツを充分に利用し、ＡＰＰ駆動部分及び回路コントロール部分を結合し、携帯電話端末オーディオインターフェースを通してコントロールを伝送し微電流を発生させ、こうして従来の微電流美容器具が必要としていた電池を省き、省エネと環境保護を実現することができる。
【００２６】
同時に、そのすべてのコントロール操作ボタンは、携帯電話端末上に集められるため、従来の微電流美容器具のハンドコントローラーを省くことができる。こうして、構造を簡單に、製造を容易にし、製造コストを引き下げ、製品をよりコンパクトにし、携帯に便利で、操作と使用においてもスマートな利便性を備えるようにし、人々が日常的に携帯して使用する携帯電話端末等の電子製品の使用と組み合わせることで、その実用性を増強し、幅広い使用の普及を図ることができる。
【００２７】
前述した本発明の実施形態は本発明を限定するものではなく、よって、本発明により保護される範囲は後述される特許請求の範囲を基準とする。
【符号の説明】
【００２８】
１０  ＡＰＰ駆動部分、
１１  設備識別モジュール、
１２  起動応用モジュール、
１３  コントロールモジュール、
１４  第一周波数駆動モジュール、
１５  第二周波数駆動モジュール、
１６  第三周波数駆動モジュール、
１７  マイクロパルス発生モジュール、
２０  回路コントロール部分、
２１  組合せ昇圧モジュール、
２２  マイクロパルス変換モジュール、
２３  マイクロパルスエネルギー収集モジュール、
２４  タッチコントロールモジュール、
２５  微電流アウトプットモジュール、
３０  微電流美容器具本体、
３０１  微電流美容電極、
３０２  オーディオプラグ、
３１  オーディオ前蓋、
３２  オーディオ後蓋、
３３  オーディオ套、
３４  ＰＣＢボード、
３５  変圧器圧盤、
３６  ＬＯＧＯ、
３７  コードキット一、
３８  上蓋装飾部材、
３９  上蓋、
４０  ぜんまい、
４１  ぜんまい盤、
４２  下蓋、
４３  下蓋装飾部材、
４４  コードキット二、
４５  導電ゲル、
１００  スマート型微電流美容器具、
２００  携帯電話端末。
【図１】
2016134778.tif 000003
【図２】
2016134778.tif 000004
【図３】
2016134778.tif 000005
【図４】
2016134778.tif 000006
【手続補正書】
【提出日】平成27年8月13日(2015.8.13)
【手続補正１】
【補正対象書類名】図面
【補正対象項目名】全図
【補正方法】変更
【補正の内容】
【図１】
2016134778.tif 000007
【図２】
2016134778.tif 000008
【図３】
2016134778.tif 000009
【図４】
2016134778.tif 000010